(57)【要約】      （修正有）【課題】家屋の屋根に葺かれる板状の屋根材の塗装後、上下屋根材の重なり部に挿入され、重なり部の塗膜を切断し、重なり部に常時空間を形成し、屋根材間に侵入した雨水を積極的に排水させる屋根材のクサビ状縁切り材を提供する。【解決手段】上屋根材の下端部に引っ掛り挿入位置の位置決めをするストッパー２と、ストッパーの底部に上屋根材の下端部側のストッパー面と略垂直になるよう固定された挿入部３とからなり、挿入部の長さが挿入方向に直行する幅より長いことを特徴とする屋根材のクサビ状縁切り材１の構成とした。【選択図】図１
0003189310.tif 000002
【実用新案登録請求の範囲】
【請求項１】
上下屋根材の重なり部に挿入され、前記重なり部に常時空間を形成し、屋根材間に侵入した雨水を排水させる屋根材のクサビ状縁切り材であって、
上屋根材の下端部に引っ掛り挿入位置の位置決めをするストッパーと、
前記ストッパーの底部に上屋根材の下端部側のストッパー面と略垂直になるよう固定された挿入部とからなり、
前記挿入部の長さが挿入方向に直行する幅より長いことを特徴とする屋根材のクサビ状縁切り材。
【請求項２】
前記挿入部に、脱離防止片を設けたことを特徴とする請求項１に記載の屋根材の縁切り材。
【請求項３】
前記挿入部の反挿入側端部に連設した突出部を備えることを特徴とする請求項１又は請求項２に記載の屋根材の縁切り材。
【請求項４】
前記ストッパーに、前記挿入部の挿入方向に貫通する孔及び／又は溝、
及び／又は
前記突出部に、上下に貫通する貫通孔を穿設したこを特徴とする請求項３に記載の屋根材の縁切り材。
【請求項５】
前記挿入部の上面又は／及び下面が、断面視において前記挿入部内部側に窪み又は／及び反挿入部側に凸に湾曲形状したことを特徴とする請求項１〜請求項４の何れか１項に記載の屋根材の縁切り材。
【考案の詳細な説明】
【技術分野】
【０００１】
本考案は、家屋の屋根に葺かれる板状の屋根材の塗装後、上下屋根材の重なり部に挿入され、重なり部の塗膜を切断し、重なり部に常時空間を形成し、屋根材間に侵入した雨水を積極的に排水させる屋根材のクサビ状縁切り材に関する考案である。
【背景技術】
【０００２】
従来、屋根材、特に平板スレート屋根材は、図８に示すように、屋根の野地板１４の上に、防水シート１２を貼り、軒側端部から下屋根材１０ｂを釘などの留具１３で固定し、その上に上屋根材１０ａを重ねながら屋根上部に向け貼られていた。
【０００３】
しかし、家屋の築年数が経過すると、屋根材の塗膜１１が劣化するとともに、屋根材の下端部が反り返り、防水性が失われるため、屋根材の葺き替え、或いは屋根材の再塗装が必要であった。
【０００４】
再塗装の際、屋根材に単に塗装だけを行うと、塗料により上下屋根材１０ａ、１０ｂの重なり部１０ｃが塗膜１１で密閉され、雨水などの水分の排水性が悪化する。その結果、上下屋根材１０ａ、１０ｂの間等に雨水等が長期間滞留し、野地板１４を腐蝕、破損させ、さらには天井の雨漏りに繋がる。
【０００５】
それを防止するため、屋根材の重なり部１０ｃの塗膜１１による密閉部分を切断する、特許文献１〜３に記載の屋根材の縁切り部材が開発されている。
【０００６】
これら縁切り部材は、屋根材表面の塗装後、重なり部１０ｃに挿入することにより、雨水の排水を促進するものである。
【０００７】
例えば、特許文献３の縁切り部材１５は、図９示すように、屋根の補修のため再塗装した後、屋根材の重なり部１０ｃに打ち込んだまま使用する縁切り部材であって、前記屋根材の重なり部１０ｃに挿入する多角形状の板状をなす本体１６と、本体１６には該本体１６が屋根の重なり部１０ｃから離脱しないため本体１６の底部に弾性体に凹凸形状を形成した収納部１６ｃに収納可能な脱離防止片１６ａおよび離脱防止用凸形状部と、本体１６の一部に屋根材の重なり部１０ｃに侵入してくる雨水等を溜める排水溜り用空間１６ｂと、本体１６の手前部に所定の位置決めをするストッパー１７と、ストッパー１７の下部に前記空間１６ｂに溜まった雨水等を排水する排水溝とからなることを特徴とする。
【０００８】
図１０に、特許文献３に記載の縁切り部材１５の屋根材への使用状態を示した。重なり部１０ｃに縁切り部材１５を挿入すると、重なり部１０ｃに、常時空間を形成し、上下屋根材１０ａ、１０ｂ間に侵入した雨水を排水溝１７ａから積極的に排水できるというものである。排水溝１７ａは、ストッパー１７と、本体１６が段差１７ｂを設けて連設されるため形成される。
【０００９】
しかしながら、特許文献３に記載の屋根材の縁切り部材１５では、上下屋根材１０ａ、１０ｂ間の雨水を積極的に排水することができるものの、幅広で、縁切り部材１５周辺及び上下屋根材１０ａ、１０ｂと縁切り部材１５との間に、雨水が滞留し続けるとの現象がみられた。
【００１０】
その原因を探求したところ、縁切り部材１５が、板状の幅広の本体１６を有すること、ストッパー１７が本体１６に対して、垂直に起立していることに起因していた。
【先行技術文献】
【特許文献】
【００１１】
【特許文献１】特開２００５−１２０８０１号公報
【特許文献２】特開２００６−１２５１７３号公報
【特許文献３】特開２００７−０５１５２１号公報
【考案の概要】
【考案が解決しようとする課題】
【００１２】
そこで、本考案は、細身の挿入される本体とし、上下屋根材１０ａ、１０ｂ間の雨水の滞留量を低減するとともに、効果的に排水することができる屋根材の縁切り材を提供するとことを目的とする。
【課題を解決するための手段】
【００１３】
本考案は、上記の課題を解決するために、
（１）
上下屋根材の重なり部に挿入され、前記重なり部に常時空間を形成し、屋根材間に侵入した雨水を排水させる屋根材のクサビ状縁切り材であって、
上屋根材の下端部に引っ掛り挿入位置の位置決めをするストッパーと、
前記ストッパーの底部に上屋根材の下端部側のストッパー面と略垂直になるよう固定された挿入部とからなり、
前記挿入部の長さが挿入方向に直行する幅より長いことを特徴とする屋根材のクサビ状縁切り材の構成とした。
（２）
前記挿入部に、脱離防止片を設けたことを特徴とする（１）に記載の屋根材の縁切り材の構成とした。
（３）
前記挿入部の反挿入側端部に連設した突出部を備えることを特徴とする（１）又は（２）に記載の屋根材の縁切り材の構成とした。
（４）
前記ストッパーに、前記挿入部の挿入方向に貫通する孔及び／又は溝、
及び／又は
前記突出部に、上下に貫通する貫通孔を穿設したこを特徴とする（３）に記載の屋根材の縁切り材の構成とした。
（５）
前記挿入部の上面又は／及び下面が、断面視において前記挿入部内部側に窪み又は／及び反挿入部側に凸に湾曲形状したことを特徴とする（１）〜（４）の何れかに記載の屋根材の縁切り材の構成とした。
【考案の効果】
【００１４】
本考案は、上記構成であるので、次の効果を奏する。先ず、特許文献３のように幅広の板状の本体１６を採用せず、幅より挿入方向が長い細身の挿入部を採用することで、挿入し易く、挿入部周辺の雨水の滞留量を低減させることができる。
【００１５】
挿入部に設けた弾性体からなる脱離防止片により、屋根材が経年変化で屋根材間の空間が所定量より増しても、屋根材のクサビ状縁切り材は当初の挿入部位に止まり、常時雨水等の排水を行い、野地板１４等の腐蝕、破損を防止することができる。
【００１６】
加えて、挿入部の反挿入端部に突出部を設けたことで、屋根材のクサビ状縁切り材の周辺の雨水を、毛細管現象及び表面張力で、積極的に屋根材の間から引き出すことができる。さらに、突出部が、下屋根材表面の上方に向け、下屋根材面に対して角度４５°未満の範囲で屈曲して、挿入部の反挿入側端部に連設するため、より一層縁切り材周辺に雨水を滞留させることなく、排出させることができる。さらに、突出部に貫通孔を設けることで、排出されてきた雨水の蒸発を促進させ、雨水の屋根材間での滞留時間を短縮し、野地板の腐蝕防止効果を高める。
【００１７】
また、ストッパーと挿入部とが段差介して連設することで、排水用の溝が形成され、より一層積極的に屋根材間の雨水を排水させることができる。加えて、挿入部の上下面を窪ませ、或いは突状に湾曲させることでも、雨水の屋根材からの排出効果を高める。
【図面の簡単な説明】
【００１８】
【図１】本考案の一例である屋根材のクサビ状縁切り材の斜視図（Ａ）及びＡ―Ａ‘断面図（Ｂ）である。
【図２】本考案である屋根材のクサビ状縁切り材の第二の実施形態の斜視図である。
【図３】本考案である屋根材のクサビ状縁切り材の第三の実施形態の斜視図（Ａ）及びＢ―Ｂ‘断面図（Ｂ）である。
【図４】本考案本考案である屋根材のクサビ状縁切り材の第四の実施形態の斜視図（Ａ）及びＡ―Ａ‘断面図（Ｂ）である。
【図５】本考案である屋根材のクサビ状縁切り材の第五の実施形態（３種）の斜視図である。
【図６】本考案である屋根材の縁切り材の第四実施形態の使用状態図である。
【図７】図６Ｃ−Ｃ位の断面図である。
【図８】再塗装後の屋根材の断面図である。
【図９】従来の縁切り部材の斜視図である。
【図１０】従来の縁切り部材の使用状態の断面図である。
【考案を実施するための形態】
【００１９】
以下、添付の図面を参照し、本考案の実施の形態について詳細に説明する。なお、本考案は下記実施例に限定されるものではない。
【実施例１】
【００２０】
図１に示すように、本発明である屋根材のクサビ状縁切り材１は、ストッパー２と、挿入部３とからなる。
【００２１】
ストッパー２は、上屋根材１０ａの下端部に引っ掛かり、屋根材のクサビ状縁切り材１の挿入位置の位置決めをする。
【００２２】
挿入部３は、ストッパー２の底部に、上屋根材１０ａ端部側のストッパー２の面と略垂直になるよう固定される。挿入部３の長さは、挿入方向に直行する幅より長い。挿入先端部３ａは、上下屋根材１０ａ、１０ｂの間に挿入し易いように、先端に向けテーパー形状とすることが好ましい。
【００２３】
挿入部３の形状としては、厚み３−２ｍｍ程度、長さは３５ｍｍ±１０ｍｍ程度、幅５ｍｍ〜２０ｍｍ程度の挿入方向が長い平面視長方形が例示できる。ストッパーの高さは、５ｍｍ前後とすればよい。屋根材のクサビ状縁切り材１をこのようなサイズとすれば、上下屋根材１０ａ、１０ｂの重なり部１０ｃに容易に挿入でき、雨水を効率的に排水し、挿入部３の周辺への雨水の滞留時間も短い。さらに、作業者の加重による屋根材１０の破損もない。他の実施例においても同様である。
【００２４】
屋根材のクサビ状縁切り材１の素材としては、長期使用に対する腐蝕性、加工の容易性の観点から、樹脂系素材、特にポリカーボネイトが好ましい。他の実施例においても同様である。
【００２５】
屋根材のクサビ状縁切り材１であっても、従来同様に、屋根材幅が９００ｍｍまでの場合には、左右両端１５ｃｍ位の箇所にそれぞれ１個、計２個挿入する。屋根材幅が６００ｍｍ以下の場合には、どちらか片側の１５ｃｍ位の箇所に１個挿入すればよい。他の実施例においても同様である。
【００２６】
このようにしてなる屋根材のクサビ状縁切り材１は、上下屋根材１０ａ、１０ｂの重なり部１０ｃに挿入され、重なり部１０ｃに常時空間を形成し、上下屋根材１０ａ、１０ｂ間に侵入した雨水を排水させると共に、屋根材のクサビ状縁切り材１の周辺に滞留する雨水を極めて少なくすることができる。
【実施例２】
【００２７】
図２に示すように、本発明である屋根材のクサビ状縁切り材１ａは、ストッパー２と、挿入部３と、突出部４とからなる。ストッパー２、挿入部３は、実施例１と同じである。
【００２８】
突出部４は、下屋根材１０ｂ表面の上方に向け、下屋根材１０ｂ面に対して角度１５°程度で屈曲し、挿入部３に連設している。突出部４の角度θ（図２）は、４５°未満の範囲が望ましく、より好ましくは、５°以上３０°未満の範囲である。突出部４の突出長は、ストッパーから５ｍｍ程度でよい。
【００２９】
角度θが、前記範囲で屈曲して穿設されておれば、雨水は、突出部４下面と、下屋根材１０ｂの表面との間に毛細管現象及び表面張力で強制的に重なり部１０ｃから排出される。その結果、排出された雨水は、次々に蒸発し、屋根材のクサビ状縁切り材１ａの周辺に長期滞留することはない。
【実施例３】
【００３０】
図３に示すように、本発明である屋根材のクサビ状縁切り材１ｂは、ストッパー２２と、挿入部２３とからなる。挿入部２３の先端部３ａは、上下屋根材１０ａ、１０ｂの間に挿入し易いように、先端に向けテーパー状とすることが好ましい。
【００３１】
ストッパー２２は、上屋根材１０ａの下端部に引っ掛かり、屋根材のクサビ状縁切り材１ｂの挿入位置の位置決めをする。また底部には、溝２２ａが設けられ、後述の収納部２３ａから流下する雨水の排出口となる。
【００３２】
挿入部２３には、脱離防止片２３ｂと、脱離防止片２３ａが上下屋根材１０ａ、１０ｂに圧縮され、変形した際に、脱離防止片２３ｂを収納する空間である収納部２３ａが設けられている。
【００３３】
脱離防止片２３ｂは、収納部２３ａの内部の挿入先端側に一端が接続し、他端が下屋根材１０ｂ側に斜めに突出すると共に、脱離防止片２３ｂの底面には下屋根材１０ｂへの挿入方向に対して係止力を発揮する係止突起２３ｃが形成されている。
【００３４】
なお、脱離防止片２３ｂは、ここでは下屋根材１０ｂ側に斜めに突出しているが、上屋根材１０ａ側に突出させてもよい。また、脱離防止片２３ｂは、これら形状に限定されず、弾性体として上下屋根材１０ａ、１０ｂに係止されるものであればよい。
【００３５】
屋根材１０は、約７〜８ 年経過した時点で再塗装の時期となる。再塗装後、屋根材１０の重なり部１０ｃに雨水等が滞留しないように、縁切り材が挿入される。しかし、再塗装して、更に長期間経過すると、屋根材の劣化により、屋根材１０の重なり部１０ｃに隙間が発生し、その隙間は増加傾向となる。
【００３６】
屋根材１０は、使用後１０年を経過すると高温、多湿と悪い環境の地域では、屋根材１０の重なり部１０ｃの隙間は７〜８ｍｍ程度になることがある。それであっても脱離防止片２３ｂの弾性力及び係止作用により、隙間に広さに追随し、本発明である屋根材のクサビ状縁切り材１ｂは脱落しない。
【実施例４】
【００３７】
図４に示すように、本発明である屋根材のクサビ状縁切り材１ｃは、ストッパー２２と、挿入部２３と、突出部２４とからなる。ストッパー２２と挿入部２３は、実施例３と同じである。
【００３８】
突出部２４は、下屋根材１０ｂ表面の上方に向け、下屋根材１０ｂ面に対して角度１５°程度で屈曲し、実施例２と同様に、挿入部２３に連設している。
【００３９】
突出部２４には、突出部４に加え、上下屋根材１０ａ、１０ｂ方向に貫通する貫通孔２４ａが設けられている。貫通孔２４ａを設けることで、排出されてきた雨水の蒸発を促進させる。
【実施例５】
【００４０】
図５（ａ）に示すように、本発明である屋根材のクサビ状縁切り材１ｄは、ストッパー２ａと、挿入部３とからなる。
【００４１】
ストッパー２ａには、底部に、挿入部３上面が底となる孔５が、挿入部３が挿入される方向に貫通して穿設されている。孔５は、挿入部３と上屋根材１０ａとの間を流下する雨水の排出、蒸発口となる。このような孔５を設けることで、雨水の上屋根材１０ａと挿入部３との間での滞留時間が短くなる。
【００４２】
図５（ｂ）に示すように、本発明である屋根材のクサビ状縁切り材１ｅは、ストッパー２ｂと、挿入部３ｂとからなる。
【００４３】
挿入部３ｂは、断面視において挿入部３ｂの内部側に窪んだ湾曲形状をしている。この窪み３ｆは、上下屋根材１０ａ、１０ｂと挿入部３ｂの間の雨水の排出路となる。挿入部３ｂの上下面に窪み３ｆを設けることで、雨水の挿入部３ｂ周辺での滞留時間を短くする。先端部３ｃは、両端が突出し、中央が挿入部３ｂ側に窪んだ湾曲形状で、挿入部３ｂの上下屋根材１０ａ、１０ｂの重なり部１０ｃへの挿入を一層容易にする。
【００４４】
ストッパー２ｂには、底部に、挿入部３ｂ上面が底となる孔５ａが、挿入部３が挿入される方向に貫通して穿設されている。孔５ａは、挿入部３ｂと上屋根材１０ａとの間を流下する雨水の排出、蒸発口となる。このような孔５ａを設けることで、雨水の上屋根材１０ａと挿入部３ｂとの間での滞留時間が短くなる。
【００４５】
図５（ｃ）に示すように、本発明である屋根材のクサビ状縁切り材１ｆは、ストッパー２ｃと、挿入部３ｄとからなる。
【００４６】
挿入部３ｄの上下面は外側に凸３ｇの湾曲形状で、上下屋根材１０ａ、１０ｂとの接触面積を少なくし、雨水の流下、排出を促進させ、雨水の挿入部３ｄ周辺での滞留時間を短くする。先端部３ｅは、中央部が挿入部３ｄ側から突出し、両端が挿入部３ｄ側に位置する湾曲形状で、挿入部３ｄの上下屋根材１０ａ、１０ｂの重なり部１０ｃへの挿入を一層容易にする。
【００４７】
図６は、本発明である屋根材のクサビ状縁切り材１ｃの使用状態図である。上下に位置する各屋根材１０の重なり部１０ｃに、屋根材１枚につき、屋根材のクサビ状縁切り材１ｃを１〜３個程度挿入する。特に、上屋根材１０ａ同士が接合する部分に挿入すると、屋根材１０間に侵入した雨水を効率よく排出することができる。
【００４８】
尚、屋根材１０の重なり部１０ｃに縁切り材を挿入するには、縁切り材の先端部を屋根材１０の重なり部１ ０ｃに少量差し入れ、その後手動あるいは冶具でストッパーの反挿入側面に荷重をかけることで容易に挿入ができる。
【００４９】
図７は本発明である屋根材のクサビ状縁切り材の使用状態（図６Ｃ−Ｃ‘位断面図）の図である。
【００５０】
屋根材のクサビ状縁切り材１ｃを重なり部１０ｃに挿入すると、上下屋根材１０ａ、１０ｂからの圧力で、脱離防止片２３ｂは収納部２３ａに収納されつつ、その弾性力及び係止突起２３ｃによって、下屋根材１０ｂに係止され、屋根材のクサビ状縁切り材１ｃを重なり部１０ｃに留める。
【００５１】
また、図７で明らかなように、ストッパーと下屋根材１０ｂとの間に排水用の溝２２ａが開口しているため、雨水を上下屋根材１０ａ、１０ｂの間から外部に排出することができる。さらに、各挿入部近傍に集中した雨水も、各突出部と下屋根材１０ｂとの間に、毛細管現象及び表面張力により、上下屋根材１０ａ、１０ｂ間から引き出される。これにより、より積極的に、雨水を上下屋根材１０ａ、１０ｂ間から排出し、屋根材のクサビ状縁切り材１ｃ近傍に集中した僅かな雨水をも排出することができる。加えて、貫通孔２４ａが穿設されているため、雨水の蒸発も促進される。
【００５２】
本発明である屋根材のクサビ状縁切り材は、２本、３本又はそれ以上の挿入部をストッパー底部に間隔を開け備えることもできる。屋根材１０の重なり部１０ｃに挿入され、塗膜１１の縁切り及び屋根材１０間の雨水を排出する。その上、縁切り材を挿入した屋根材の直上に人が足等で踏む等の過度の荷重が加わったとしても、屋根材１０が亀裂、破損することない。その結果、雨水等が屋根材１０の間に浸入しても、野地板１４の腐蝕、破損を防止することができる。
【符号の説明】
【００５３】
１      屋根材のクサビ状縁切り材
１ｂ    屋根材のクサビ状縁切り材
１ｃ    屋根材のクサビ状縁切り材
１ｄ    屋根材のクサビ状縁切り材
１ｅ    屋根材のクサビ状縁切り材
１ｆ    屋根材のクサビ状縁切り材
２      ストッパー
２ａ    ストッパー
２ｂ    ストッパー
２ｃ    ストッパー
３      挿入部
３ａ    先端部
３ｂ    挿入部
３ｃ    先端部
３ｄ    挿入部
３ｅ    先端部
３ｆ    窪み
３ｇ    凸
４      突出部
５      孔
５ａ    孔
１０    屋根材
１０ａ  上屋根材
１０ｂ  下屋根材
１０ｃ  重なり部
１１    塗膜
１２    防水シート
１３    留具
１４    野地板
１５    縁切り部材
１６    本体
１６ａ  脱離防止片
１６ｂ  排水溜り用空間
１６ｃ  収納部
１７    ストッパー
１７ａ  排水溝
１７ｂ  段差
２２    ストッパー
２２ａ  溝
２３    挿入部
２３ａ  収納部
２３ｂ  脱離防止片
２３ｃ  係止突起
２４    突出部
２４ａ  貫通孔
【図１】
0003189310.tif 000003
【図２】
0003189310.tif 000004
【図３】
0003189310.tif 000005
【図４】
0003189310.tif 000006
【図５】
0003189310.tif 000007
【図６】
0003189310.tif 000008
【図７】
0003189310.tif 000009
【図８】
0003189310.tif 000010
【図９】
0003189310.tif 000011
【図１０】
0003189310.tif 000012